(57)【要約】建造物用洪水防御システムは、建造物の一面またはそれ以上の面上で保護する領域を、少なくとも、十分に被覆できるサイズの防水性可撓性シート材（２６）を備える。このシート材は、その領域の最下位点から最上位点までの高さの差と、少なくとも、同じくらいの大きさの落差の水圧に耐えられるようにされている。このシート材は、第１の面とこの第１の面に対向するシート材側の対向面とを有し、この第１の面がその領域の周辺の少なくとも回りの建造物の複数面の表面と向き合うような位置に配置される。枠部は、当該シート材と同様な寸法の、シート材の当該第１の面を建造物の面と向き合う状態でそのシート材を取り付ける。枠部は、シート材の対向面と向き合う位置になるようにされることにより、建造物の面にその第１の面を押し付けるようにされた圧縮可能な密封手段（２３，２４）と協働する。固定手段は、密封手段を貫通することなく建造物の複数面の表面に枠部を取り付ける。
2005526200.tif 000002
【特許請求の範囲】
【請求項１】
建造物用洪水防御システムであって、
建造物の一面またはそれ以上の面上で保護する領域を、少なくとも、十分に被覆できるサイズの防水性可撓性シート材であり、このシート材が前記領域の最下位点から最上位点までの高さの差と、少なくとも、同じくらいの大きさの落差の水圧に耐えられるようにされ、このシート材は第１の面とシート材の第１の面と反対側の対向面とを有し、この第１の面が前記領域の周辺の少なくとも回りの建造物の前記複数の面の表面と向き合うような位置に配置される防水性可撓性シート材と、
前記シート材と同様な寸法の、前記シート材の前記第１の面を建造物の面と向き合う状態で前記シート材を取り付けるようにされた枠部であって、シート材の対向面と向き合う位置になるようにされることにより、建造物の面に前記第１の面を押し付けるようにされた圧縮可能な密封手段と協働する枠部と、
固定手段であって、固定手段が密封手段を貫通することなく建造物の複数の面の表面に枠部を取り付ける固定手段と、
を備える洪水防御システム。
【請求項２】
第２の圧縮可能な密封手段が、最初に述べた前記密封手段に沿って配置され、建造物の面と直接対向する位置となるように枠部と協働するようにされることにより、前記領域の中心に対して前記第１の密封手段による封止の外側の位置で、枠部と建造物との間に補助封止を確保するようにされた請求項１に記載の洪水防御システム。
【請求項３】
シート材の形状と寸法は、前記密封手段を前記対向面と向き合う位置においた状態で、（第１の）密封手段に少なくとも部分的に巻くようにされたシート材の端部領域に対応したものとなる請求項１または請求項２に記載の洪水防御システム。
【請求項４】
第２の圧縮可能な密封手段が、最初に述べた前記密封手段に沿って配置され、シート材を介して建造物の面と対向する位置するように枠部と協働するようにされることにより、前記領域の中心に対して前記第１の密封手段による封止の外側の位置で、枠部とシート材との間およびシート材と建造物との間に補助封止を確保するようにした請求項１に記載の洪水防御システム。
【請求項５】
第１および第２の密封手段の少なくとも一方には、その密封手段に沿って延在するスリットが設けられることにより、密封手段を離間した平行な密封帯状部材に有効的に分け、各密封帯状部材は洪水時に封止を包囲しようとする水に密封縁を提供する請求項２から４のいずれに記載の洪水防御システム。
【請求項６】
第１及び第２の密封手段の少なくとも一方には、その密封表面にほぼ半球形状の間隙部が設けられ、前記間隙部は、密封手段が圧縮されるにつれ閉じるようにされることにより、建造物の対峙する表面の表面不整を吸収する支援を行う請求項２から５のいずれに記載の洪水防御システム。
【請求項７】
枠部は第１の面と、枠部の第１の面と反対側の第２の面とを有し、第２の面は密封手段のための座部を備えている請求項１に記載の洪水防御システム。
【請求項８】
枠部は第１の面と、枠部の第１の面と反対側の第２の面とを有し、第２の面は第１の密封手段と第２の密封手段とのそれぞれの座部を備えている請求項２または請求項４またはそれに従属するいずれかの請求項に記載の洪水防御システム。
【請求項９】
一方または両密封手段の座部または密封手段自体のいずれかの表面には、低粘着性の接着剤、できれば永久保持タイプのもの、が施されてその座部に密封手段を取り付けやすくする請求項８に記載の洪水防御システム。
【請求項１０】
第２の密封手段がその座部に永久的に接着される請求項８に記載の洪水防御システム。
【請求項１１】
枠部は磁気材料からなり、また第１の密封手段および第２の密封手段の少なくとも一方は磁気包含物からなり、その座部に密封手段を取り付けやすくする請求項８に記載の洪水防御システム。
【請求項１２】
第１の密封手段および第２の密封手段の少なくとも一方は位置決め開口部を備え、枠部はこの位置決め開口部と協働して位置決めを行うようにされた対応する位置決め手段を備える請求項８に記載の洪水防御システム。
【請求項１３】
枠部の形状がほぼ矩形で、枠部は各辺ごとに個別の枠部セクションからなり、枠部セクションを突き合わせる枠部の角領域には、前記枠部セクションの間および枠部セクションと密封手段との間を密封するようにされた角密封ガスケットが設けられる先行する請求項のいずれかに記載の洪水防御システム。
【請求項１４】
枠部の形状がほぼ矩形で、枠部は押し出し成形品からなり、密閉手段は、前記座部に取り付けられるようにその本来の状態から延ばされた無端ループを構成する請求項７に記載の洪水防御システム。
【請求項１５】
建造物用洪水防御システムであって、
建造物の壁内に間隔をあけて永久的に取り付けるようにされ、保護する建造物の一面またはそれ以上の面上の領域を区画する複数の金具であって、前記金具のそれぞれが、洪水が予想されない場合には、金具を視野から隠すプラグや覆部材を収容するようにされたソケットを備える複数の金具と、
洪水が予想されると、前記ソケットにそれぞれ収容されるようにされた複数の雄固定部材と、
前記領域を、少なくとも、十分に被覆できるサイズの防水性可撓性シート材であり、前記領域の最下位点から最上位点までの高さの差と、少なくとも、同じくらいの大きさの落差の水圧に耐えられるようにされた防水性可撓性シート材と、
前記領域を覆う前記シート材を密封するように取り付けるための枠部であり、この枠部は前記雄固定部材または開口部を貫通しソケットに収納される雄固定部材と連結する手段により、前記面の表面との間でシート材を挟み込むようにされた下面を有し、枠部は前記領域の周辺全体をほぼ取り巻いて延びるような寸法にされ、前記下面はこの下面に沿って延びる溝部を区画する枠部と、
前記溝部に充填され、非圧縮状態で前記下面から延びるようにされた１つまたはそれ以上の細長い圧縮可能部材とを備えることにより、前記複数の圧縮可能部材が前記領域の周辺のまわりに封止を実現するようにされて、前記金具が複数の圧縮可能部材に穴をあけないように、開口部が前記溝部に沿って間隔をあけて配置される洪水防御システム。
【請求項１６】
枠部を前記複数の面の複数の表面に対して挟み込むとき、前記部材が前記シート材の外側の表面と向き合う位置になるような方向で前記封止を実現する複数の部材のまわりに、少なくとも部分的に、巻きつくようにされた端部領域を、シート材が有する請求項１５に記載の洪水防御システム。
【請求項１７】
前記下面がこの下面に沿って延びる２つのほぼ平行な溝部を区画し、前記溝部の間に間隔をあけて前記開口部を配置し、
それぞれの細長い圧縮可能部材が２つの前記溝部に充填され、その非圧縮状態で前記下面から延びるようにされることにより、前記圧縮部材は前記領域のための内側封止と外側封止とをそれぞれ実現するようにされた請求項１５に記載の洪水防御システム。
【請求項１８】
前記下面がこの下面に沿って延びる２つのほぼ平行な溝部を区画し、前記溝部の間に間隔をあけて前記開口部を配置し、
それぞれの細長い圧縮可能部材が２つの前記溝部に充填され、その非圧縮状態で前記下面から延びるようにされることにより、前記圧縮部材は前記領域のための内側封止と外側封止とをそれぞれ実現するようにされ、
シート材の端領域は前記内側封止を実現する複数の部材に、少なくとも部分的に、巻きつくようにされた請求項１６に記載の洪水防御システム。
【請求項１９】
各前記金具は、めねじソケットを含むヘッドを設けたねじ部材を備え、建造物の面から突出する金具の部分がないようにソケット・ヘッドが前記面とほぼ同一平面上にくるまで、金具はねじ込むように挿入されるようにされていて、ねじソケットは、協働する前記雄固定部材のねじ込みを収納するようにされ、また、別の方法では、金具を視野から隠すためにねじプラグおよび覆部材と押しこみ固定プラグおよび覆部材との中から選択した遮蔽プラグや覆部材を収めるようにされている請求項１５から請求項１８のいずれに記載の洪水防御システム。
【請求項２０】
雄固定部材は二つの端部を備え、
前記雄固定部材はねじ切りされた第１端とやはりねじ切りされ第１端と対向する第２端とを有し、第１端と第２端とはつばによって隔てられ、第１ねじ端の長さが金具のめねじソケットの長さと同じかそれより短く、めねじソケットと第１端とには協働するねじ山が形成されていて、
枠部は、前記第２ねじ端上に取り付けられ、枠部の前記開口部を貫通した前記第２端により、協働するナット、好ましくは、蝶ナットで、所定位置に保持されるように構成されている請求項１９に記載の洪水防御システム。
【発明の詳細な説明】
【技術分野】
【０００１】
本発明は洪水防御に関する。
【背景技術】
【０００２】
世界の多くの地域では、射流洪水や雨のためにより穏やかではあるが潜行的に上昇する地下水位による周期的な洪水に見舞われている。実際、河川が氾濫原を形成するところならば、少なくとも世界の温暖地域における冬の洪水は予測できる自然現象である。
【０００３】
特に、ヨーロッパの北西部では、近年の土地開発の要請によって、かつての洪水の氾濫原に住宅用地や産業用地として多くの開発が行われてきた。こうした土地は簡単にほぼ平地にならされ、住宅を低価格で供給する宅地造成者にとっては魅力的なものである。
【０００４】
ヨーロッパ北西部において、２０００年の夏、秋および冬は雨が異常に多く、元々は氾濫原であった土地に近年築かれた住宅用地や産業用地の占有者は、既存する河川管理方法および洪水防壁が不十分であったことに気づき愕然とした。個人資産にも産業資産にも甚大な被害をこうむった。
【０００５】
河川管理方法の改善および関連する洪水防御作業は、ある程度は問題を緩和する働きがあるが、こうした方法は、計画設計の認可および、多くの場合、行政の資金を必要とする大規模な作業であるため、達成には時間を要する。
【０００６】
この洪水の問題は、地球温暖化の初期段階に生じる気候変化の結果として、時間が経つにつれ悪化するだろうというのが、一般的な意見である。
【０００７】
このことは、住民や産業用地の所有者に、差し迫った現行の問題、すなわち、今後起きると予想される洪水から自分たちの現存する建造物を守る方法や、今後の洪水の大規模な防御作業に着手すべきか否かについての問題を示している。
【０００８】
洪水を妨げる最も一般的な手段は、砂袋（土のう）を広くゆきわたるように置くことである。砂袋を有効的に用いるには、洪水の警報があるや否や直ぐに、所定位置に配置する必要がある。（各々の住民が準備完了した状態で各世帯の砂袋の配給分を保管しておくということは、通常不可能であるから）砂袋は、中央の集積所で充填されてから分配されるため、重大なロジスティックな問題を提起している。必然的に、資産の一部は無防備なままである。
【０００９】
また、板状部材を開口部に掛け渡し、場合によっては補助砂袋と一緒に、洪水防壁を構成することも提案されている。このような板状部材は、これを嵌め込むための枠部を必要とし、これを所定位置に常設的に固定する必要がある。結果としては、外見的には見苦しい場合が多く、作用的には到底満足とは言えない。
【００１０】
多くの個人向け洪水予防システムの提案が、特許文献に記載されている。
【００１１】
たとえば、ブレル（Burel）の特許文献１は、硬質薄板金属パネルを用いてパネルと建物の壁との間に密封材を利用する一時的な洪水防御を行うことを開示する。バック（Buck）の特許文献２が提案する家庭用洪水防壁では、洪水が予想されると、防壁パネルが窓等の全面にわたって一時的に水密状態に固定するように設計されている。バックが利用する固定手段とは、ナットを建物の孔に取り付けて、防壁パネルと介在密封部材とを貫通するボルトと協働する水密ブッシングでその周囲を囲むという形態である。氾濫した水が防壁を貫通する開口部内への進入を防ぐために、密封ワッシャーがボルトの周囲に設置される。ファレル（Farrell）の特許文献３が提案する洪水防御パネルは、ドア・枠部と介在密封手段とに隣接する固定手段を協働させるためにこの洪水防御パネルを貫通する複数の開口部を有する。また、特許文献４のファロウ（Farrow）が提案する防壁パネルは、建物のドア・枠部の下半分に嵌るようになっていて、防壁の最上部は外見上開口している。さらに、金具が防壁の開口部に挿通され、また、封止が下部に沿って設けられてもよいとする実施形態もある。ゲエフベー  ゲーゼルシャフト  フュア  バウヴェルクスアーブディッヒツンゲン  エムベーハーの特許文献４が提案する可撓性ホイルパネルは、洪水が予想されると、れんが積の前につるされるようになっていて、ホイルパネルの側端と下端とは枠部内で挟持される環状ビーズ状に厚くなった部分を有する。シュレア（Scherrer）の特許文献５が提案する構成では、可撓性シート材を所定位置に保持するように遠隔定着具に取り付けられた補助支持部及び／またはケーブル構造を有する窓の開口部を覆う可撓性シート材を利用する。使用するねじ式締結具は、シート材の周辺に間隔をおいて配置され、また、シート材と、シート材に対向して取り付けられた波形（profiled）部材とに設けられた開口部を貫通し、壁に設けられた開口部内に収納される。レッドドラゴンインベストメント（Red Dragon Investment）による特許文献６は縦型ロールアウト構成を開示している。特許文献７は、その中間に狭窄部分が形成されている２本の脚部と共にゴムまたはプラスチックの封止部の使用を開示している。所定位置に保持するように狭窄部分内に嵌め込まれたケーブルにシート材が巻かれる。特許文献８は、ドアや窓の開口部の周囲に貼り付けられた封止と協働する立体式スナップ嵌めカバーを開示している。
【００１２】
上記特許文献に記載された装置の中には、一般住民が使用するには経済的な工業規模で生産することが不可能なほど、明らかに過度に技術設計されたものもあれば、予想される洪水に耐える能力に欠けるものもある。
【００１３】
すでに構築された、少なくともある程度は、有効に作用することが証明されたより実用的な洪水防壁システムが、非特許文献１に提案されている。表面下の溝内に取り付けられた可撓性スカートが、建物の外壁全体を囲むように縦方向に引っ張られる。このシステムは、完璧に周方向に延びるスカートに依存する。スカートの各セクションは、いわゆる「水密」に、縦ジッパーにより接合されるが、補助ポンプがスカートの後方の漏水を解消することになっているので、それほど確実ではないのは明らかである。スカートは、ポールにより、建物の外側の表面上の永続的に固定された水平ブラケット上に取り付けられたコードシステムと協働する上端に沿って掛けられる。
【００１４】
洪水防御システムに広い適用性を持たせるためには、容易に大量生産が可能であり、特別な道具を用いることなく一般住民が容易に取り外し可能であり、取り外す際には、壁から突出する目障りな部品がないことが好ましく、最終的に壁と洪水防御システムとの間の封止が確実であるべきである。たとえば、窓の開口部を囲む壁表面はめったに平坦ではない。レンガ積は、ある場合、レンガの間に目地仕上げがなされることになる。これは、大抵の場合、各対のれんが間に目地仕上げによる凹部があることを意味する。他の構成では、壁の表面が表面が小石の部材が配置されるか小石で覆われる。
【特許文献１】フランス特許２７３０００１号明細書
【特許文献２】イギリス公開特許第２３６０８１３号明細書
【特許文献３】イギリス公開特許第２３４６４０５号明細書
【特許文献４】イギリス公開特許第２２４５２９７号明細書
【特許文献５】ヨーロッパ公開特許０７３５２１６号明細書
【特許文献６】フランス公開特許第２７６３０９４号明細書
【特許文献７】国際出願第０２／４４５０１号パンフレット
【特許文献８】国際出願第９８／３７２７８号パンフレット
【特許文献９】ドイツ特許第２９９１９９７６号明細書
【非特許文献１】マスタービルダー（Master Builder）、２４〜２５ページ、2002年３月
【発明の開示】
【課題を解決するための手段】
【００１５】
以下にさらに詳しく述べる本システムの実施形態は、平均的な住民により実際に対処されるように異なる状況の広い範囲に容易に適合できる。
【００１６】
本発明の第１の態様によれば、建造物用洪水防御システムは、建造物の一面またはそれ以上の面上で保護する領域を、少なくとも、十分に被覆できるサイズの防水性（耐水性）可撓性シート材（フレキシブルシート）を備える。このシート材は、その領域の最下位点から最上位点までの高さの差と、少なくとも、同じくらいの大きさの落差の水圧に耐えられるようにされている。このシート材は、第１の面とこの第１の面に対向するシート材側の対向面とを有し、この第１の面がその領域の周辺の少なくとも回りの建造物のその（複数の）面の表面と向き合うような位置に配置される。このシステムは、当該シート材と同様な寸法の、シート材の当該第１の面を建造物の面と向き合う状態でそのシート材を取り付けるようにされた枠部を備える。枠部は、シート材の対向面と向き合う位置になるようにされることにより、建造物の面にその第１の面を押し付けるようにされた圧縮可能な密封手段と協働する。このシステムは、固定手段が密封手段を貫通することなく建造物の（複数の）面の表面に枠部を取り付ける固定手段を備える。
【００１７】
好ましくは、第２の圧縮可能な密封手段が第１に沿って位置し、直接またはシート材を介して建造物の面に対向する位置となるようにされることにより、その領域の中心に対してその第１の密封手段による封止の外側の位置で、枠部と建造物との間に補助封止を確保するようにされる。
【００１８】
それぞれの密封手段は枠部から突出するように選択され、また、小石打ちつけ塗りや目地仕上げ等のような外壁に一般的に見られる表面不整を吸収できるほど十分に圧縮可能である。密封手段には、密封手段に沿って延びるスリットが形成されることが好ましい。これにより、複数の離間した密封帯状部材を効果的に実現できる。密封表面に形成する特別な半球形状の間隙部も設けてもよい。使用中、密封手段が圧縮されるほど、間隙部は閉じて、そして表面不整の吸収を補助して十分に有効な封止を実現する。
【００１９】
固定手段は封止に穴をあけないので、防水性可撓性シート材は、シート材を貫通する開口部なしに形成可能である。このような開口部はシート材の物理的弱点となることがあり、また、開口部を封止する処置を講じない限り、水の進入の点では、弱点として作用することがある。他の構成では、金具が貫通するためには開口部があってもよいが、補強された縁部に形成されるのが好ましい。しかし、これら開口部は保護する領域の中央に関して、封止の外側に位置することになる。したがって、開口部を介して漏水が起きて封止効果を壊すことはない。
【００２０】
以下に詳説する一構成において、シート材は、第１の圧縮密封手段をシート材のその対向面と向き合う位置においた状態で、その第１の圧縮密封手段に少なくとも部分的に巻くようにされたシート材の端部領域に対応するような形状と寸法で形成される。
【００２１】
枠部には、第１と第２の密封手段用のそれぞれの座部を備えた第１または外側の表面と第２または内側の表面とが形成されている。第１の密封手段用の座部または第１の密封手段自体の表面には、低粘着性の接着剤、できれば永久保持タイプのもの、が施されて、枠部の対応する座部において密封手段に、少なくとも部分的に、巻かれたシート材の端領域とともに第１の圧縮密封手段の取り付けを容易くする。第２の密封手段はその座部に永久的に接着されてもよい。
【００２２】
別の代替構成では、第１の圧縮密封手段が位置決め開口部を備えてもよく、枠部はこの位置決め開口部と協働して位置決めを行うようにされたその座部に位置決め手段を備えることにより、好ましくはその座部において密封手段に、少なくとも部分的に、巻かれたシート材の端領域とともに第１の圧縮密封手段の取り付けを補助する。
【００２３】
現在最も好適な構成では、枠部と密封手段とはシート材の反対側に面する位置に単にあることで、建造物の表面にその第１面を押し付ける。上述したように、内側と外側の封止があってもよく、両方ともその反対側に面する位置にある。建造物への枠部の固定は、シート材と枠部の開口部を貫通する固定手段によることが好ましい。このようなシート材の開口部の位置は、好ましくは、補強された縁部よいが、一般的には内側封止と外側封止との間である。
【００２４】
好適な構成において、枠部の形状がほぼ矩形で、枠部の角領域には、枠部のそれぞれの領域の間および枠部とそれぞれの圧縮密封手段との間を密封するようにされた角密封ガスケットが設けられる。
【００２５】
本発明による洪水防御システムの好適実施形態は、洪水防御システムが使用されないときは、取り外したり、および／または、視野から隠したりすることになる固定システムを用いて、建造物の表面に装備されるようになっている。
【００２６】
本発明の第２の別の態様によれば、建造物用洪水防御システムは、建造物の壁内に間隔をあけて永久的に取り付けるようにされ、保護する建造物の一面またはそれ以上の面上の領域を区画する複数の金具であって、その金具のそれぞれが、洪水が予想されない場合には、金具を視野から隠すプラグや覆部材を収容するようにされたソケットを備える複数の金具と、洪水が予想されると、そのソケットにそれぞれ収容されるようにされた複数の雄固定部材と、その領域を、少なくとも、十分に被覆できるサイズの防水性可撓性シート材であり、その領域の最下位点から最上位点までの高さの差と、少なくとも、同じくらいの大きさの落差の水圧に耐えられるようにされた防水性可撓性シート材と、その領域を覆うそのシート材を密封するように取り付けるための枠部であり、この枠部はその雄固定部材または開口部を貫通しソケットに収納される雄固定部材と連結する手段により、その（複数の）面の（複数の）表面との間でシート材を挟み込むようにされた下面を有し、枠部はその領域の周辺全体をほぼ取り巻いて延びるような寸法にされ、その下面はこの下面に沿って延びる溝部（チャネル）を区画する枠部と、その溝部に充填され、非圧縮状態でその下面から延びるようにされた１つまたはそれ以上の細長い圧縮可能部材とを備えることにより、その（複数の）圧縮可能部材がその領域の周辺のまわりに封止を実現するようにされて、その金具が（複数の）圧縮可能部材に穴をあけないように、開口部がその溝部に沿って間隔をあけて配置される。
【００２７】
枠部をその（複数の）面の（複数の）表面に対して挟み込むとき、その（複数の）部材がそのシート材の外側の表面と向き合う位置になるような方向でその封止を実現する（複数の）部材のまわりに、少なくとも部分的に、巻きつくようにされた端部領域を、当該シート材が有する。
【００２８】
好ましくは、その下面がこの下面に沿って延びる２つのほぼ平行な溝部を区画し、その溝部の間に間隔をあけてその開口部を配置し、それぞれの細長い圧縮可能部材が２つのその溝部に充填され、その非圧縮状態でその下面から延びるようにされることにより、その圧縮部材はその領域のための内側封止と外側封止とをそれぞれ実現するようにされてある。シート材の端部領域が上述したように巻かれている構成では、その内側封止を確保する（複数の）部材に少なくとも部分的に巻かれることになる。
【００２９】
この目的のためにこれらの金具と固定部材との組み合わせが設計された。そして、それ自体が斬新であると考える。
【００３０】
以下に詳しく述べるように、建造物の面のような支持物に永久的に取り付けるための金具は、めねじソケットを含むヘッドを設けたねじ部材を備え、その表面から突出する金具の部分がないように、金具が挿入される支持物の面とソケット・ヘッドがほぼ同一平面上にくるまで、金具はねじ込むように挿入されるようにされていて、ねじソケットは、協働するねじ部材または金具を視野から隠すためにねじプラグおよび覆部材と押しこみ固定プラグおよび覆部材との中から選択した遮蔽プラグや覆部材のいずれかを収めるようにされている。
【００３１】
上記金具は、両頭雄固定部材を収納するように適宜に構成されていて、その部材は、ねじ切りされた第１端とやはりねじ切りされ第１端と対向する第２端とを有し、第１端と第２端とは、つばによって隔てられる。上記金具を使用するために、第１ねじ端の長さが金具のめねじソケットの長さと同じかそれより短く、めねじソケットと第１端との両方には協働するねじ山が形成される。これにより、固定部材が支持物内に金具をねじ留めするために利用された後取り外されることが可能であるので、ある状況では、ソケットには上述した遮蔽用プラグや覆部材が差し込まれてよく、あるいは、また別の状況では、そのソケットが支持表面に取り付けられた状態で、固定部材がそのソケット内に取り付けられ、本発明による洪水防御システムの一実施形態の枠部のような他の手段が、雄固定部材の他端上に取り付けられることを可能にする。
【００３２】
第１および第２の圧縮密封手段は、適宜に、発泡プラスチック材の細長いものからなる。発泡体はそれ自体が低い粘着性を維持していて、発泡体を定位置に貼り付けることも可能であるばかりか、発泡体は取り外し可能であるので再使用のために保管しておくことも可能である。別の構成では、発泡体は磁気表面を備えてもよく、または、発泡体内に磁気材料を組み込まれてもよい。このため、もし枠部も磁気製にすれば、枠部内で区画される座部での発泡体の位置づけに役立つことになる。上述したように、第２の圧縮密封手段を、その座部の所定位置に永久的に接着してもよい。これを実現するために、ロール状のこの密封手段に接着剤を使ってもよく、接着剤は塗布されるが、密封手段を枠部に嵌合ために簡単に除去できる除去可能な裏当てにより被覆される。
【００３３】
水は常に低きに流れるものである。したがって、どれほど小さくとも、何らかの通路が建造物の外側に放置されていると、水はその通路に達し、最終的には建造物の内部に到達することになる。したがって、好ましくは、洪水防御システムの異なる実施形態は、水に晒されることになる建造物の外部の全ての穴のために、提供されるべきである。このことは、ドアや窓等の明らかな穴ばかりでなく、通気レンガ等をも含む。または、洪水防御システムの単一の実施形態は一つ以上の開口部を被覆可能としてもよい。
【００３４】
以下に、添付図面を参照して、本発明を単なる例としてより具体的に説明する。
【発明を実施するための最良の形態】
【００３５】
まず、図１の概略図を参照すると、複数の金具１が、建造物３の面２の離間した位置に、典型的にはドアや窓である建造物の面の開口部４を保護するように設計された洪水防御システムを取り付けるために設けられる。金具は開口部の各辺に沿って適宜に一定の間隔をあけて配置される。通気れんがのような他の開口部は同様な処置を受けるべきである。
【００３６】
金具の好適実施形態を、図２および図３に倍尺で例示する。金具１はヘッド５とねじ付きシャンク６とを備える。ヘッド５はめねじソケット７を有する。金具１は、たとえば、ヘッド５の横断面程度の直径の孔を空け、充填材をその孔に充填することにより建造物の面に永久に取り付けるためか、または、登録商標Ｒａｗｌｐｕｇで販売されるようなネジ用の他の固定装置用に設計される。金具１は、従来のように、銀ろうを用いて、（ヘッド５を構成する）六角ナットを（シャンク６を構成する）従来の木ネジのヘッドに単に半田付けすることにより作製される。あるいは、金具は１ピースで形成されるか、または、ろう付けされた２つのピースで形成されてもよい。金具は、その端面８が壁表面と基本的に同一平面上にくるように壁内に永久的に取り付けられるので、そのソケット開口部７はプラグや覆部材を収容するようにされていて、このプラグや覆部材に壁表面と同じ彩色を施せば、後述するように、洪水防御システムを取り付けるために必要とされるまで、金具を基本的に隠しておくことになる。プラグや覆部材は、ヘッド５と少なくとも同等の直径を有すべきであり、ねじきりソケット７内に収容可能なねじを成形されてもよく、または、プレスばめを単に成形してもよい。
【００３７】
図４と図５は、金具１と協働するようにされた両頭雄固定部材９を示す。固定部材９は、ソケット７にねじ込み式に収容される第１のねじきり端部１０を有する。したがって、端部１０の長さＬ１は、ソケット７の長さと同じかそれよりもわずかに短い。固定部材９の他端部１１はより長い長さＬ２を有し、つば１２により第１の端部１０とは離れている。金具１は、最初にその六角ヘッド５と協働するスパナ等を用いて壁２内にネジ止めし、最後にねじ端部１０を挿入することにより位置づけを行い、次いで、固定部材９を用いて金具１を最終的に所定位置にネジ止めしてもよい。このためには、長端部１１の先端１３には、金具１と固定部材９との回転を支援するアレン・ツール等のような適切なツールを収容するようにされた六角ソケット１４が成形される。金具１は、たとえばＥＮ１Ａ軟鋼のような軟鋼で適切に作製される。固定部材９はおそらく洪水の際には水にさらされることになるから、たとえば３０３ステンレス鋼のようなステンレス鋼でより適切に作製される。
【００３８】
開口部４を中心に永久的に取り付けられる金具１上の所定位置にネジ止めされる固定部材９により、好ましくは、つば１２とヘッド５との間の介在ワッシャーにより、雄固定部材９の長端部１１は壁から外側に向かって突出し、枠部を配置するために使用される。この枠部は開口部４の周囲に延び、開口部に渡り壁の表面を背にする防水性可撓性・シート材を挟み込み固定するような寸法にされている。
【００３９】
適切な枠部のセクションを図６に示す。枠部１４はプレス金属セクション１５からなり、プレス金属セクション１５には、上部補強プレート１６が補強プレートの長さに沿ってジグザグ部１７でスポット溶接される。図５から分かるように、プレス金属セクション１５は、その下面２０上でセクション１５に沿って延びる２つの平行な座部１８、１９の範囲を事実上定めている。
【００４０】
ここでは、座部１８，１９をともに断面半円状に示すが、断面が不等辺四辺形または円錐台形を含む他の形状でも実現可能である。固定部材９のねじきり端部１１上での位置決めのために、その中央平坦部２１および補強プレート１６の金属セクションには位置あわせされた孔２２が形成される。
【００４１】
座部１８、１９は、図７に示されるように、防水性可撓性・シート材または壁表面に対してプレートをきつく閉じるようにされた細長い圧縮可能な密封手段を収容するように構成されている。
【００４２】
図７は、枠部１４の外側座部１８内に設置された第１の細長い圧縮可能な密封部材２３と内側座部１９内に設置された第２の細長い圧縮可能な密封部材２４とを示す。例示した構成では、防水性可撓性・シート材２６の端部領域２５を、少なくとも部分的には、圧縮可能な密封部材２４がその座部に押し込まれる前に、図７に示すように、密封部材に巻き付ける。このためには、内側座部１９を外側座部１８より多少大きめにするか、または内側密封部材２４を外側密封部材２３より多少大きめにすべきであるが、どちらにしても、防水性可撓性・シート材２６の端部領域２５を図示する方向に密封部材２４に巻き付けて、壁の対峙面に対して防水性シート材を挟み込むようにシート材の外側表面に、密封部材を押し付けて密封することが重要である。図７は、好適な密封部材の基準的なセクションを示す。各密封部材内に２つのスリット２７があることが分かる。密封部材は、向き合うレンガ積等に対して、たとえば、整列した孔２２内を通る固定部材９の突出する外側端部の端にねじ留めした蝶ナット（図示せず）によって、挟み込み固定する際、各密封部材の壁や防水性シート材と対峙する表面は、中央セクション２８とスリット２７より外側のセクション２９との両表面が対峙面に押し付けられて変形することにより、水の浸入に対して離れた３つの密封セクションができる。したがって、一方に故障や多少の漏水が生じたとしても、他方が水を抑制できる。図７に示すように、好適な波型（ｐｒｏｆｉｌｅ）では、壁や防水性可撓性・シート材と対峙する密封部材の表面には、密封部材に沿って一定間隔をあけて小さな半球形間隙部３０が整列している。これらは対峙面上に補足的な掴んで吸引する作用を設け、対峙面の凹凸を補うのに役立ち、これらすべては、洪水の進入に対し確実な密封を補佐するものである。
【００４３】
別の可能な実施形態では、第１のまたは内側の封止には、全外周のまわりに点在する一組の細長いスリット２７が形成されている。
【００４４】
図７の形状寸法の点から理解されるように、防水性可撓性・シート材２６は、稼動時に自動的にきつく締め付けるように密封部材２４に巻かれる。洪水の水にさらされると、図７の矢印３１の方向に封止とシート材との間の隙間内に水が入ろうとし、この結果の作用は防水性可撓性・シート材を壁の対峙面に益々押し付けることになる。
【００４５】
圧縮密封部材２３、２４は、ゴム、ネオプレンまたはその混合物で成形すればよい。適切な長さのこのような材料は、たとえば、西ミッドランド州サットン・コールドフィールドのＴｒｅｌｌｅｂｏｒｇより容易に入手可能である。特に好適な材料は、含浸発泡体密封材の形態では、タイン＝ウィア州ワシントン（郵便番号ＮＥ３７，３ＪＤ）のＣｏｍｐｒｉｂａｎｄ  Ｌｉｍｉｔｅｄの商標Ｃｏｍｐｒｉｂａｎｄ（登録商標）で販売されている。密封部材２３、２４は、防水性可撓性・シート材との位置づけおよびこれらの座部内での位置づけを助ける粘着性が低い接着剤を適宜に施してもよい。または、座部１８，１９の表面に粘着性の低い接着剤を施しても良い。図８は、座部の突起３２とこれに対応する位置の密封部材側の開口部３３を設けて、座部に密封部材を配置した代替構成を示す。図９は別の代替配置でのシステムを示す。ここで、封止には、協働するワッシャー３６およびナット３７により座部内の所定位置に密封部材を取り付けるねじ部材３５を収納する貫通孔３４が、間隔をあけて設けられている。密封部材を壁の対峙表面や防水性可撓性シート材に押し付ける際、貫通孔は効果的に閉鎖される。後者の構成では、防水性シート材の端部領域には、ねじ部材３５の軸部を収納するためのノッチまたは貫通開口部を設ける。さもなければ、端部領域を、部材２４に部分的にだけでも巻き付け、ねじ部材３５の軸部の直前で終わらせるべきである。
【００４６】
図９に示す構成において、ねじ部材３５が封止に穴をあけたとしても、これらが防御すべき建造物の開口部を覆うシート材と枠部を固定する「金具」ではないことはわかる。本発明による他のすべての構成におけるように、金具が封止に穴をあけることはない。これは重要なことである。なぜなら、主に漏水は開口部を通して起こるからである。たとえねじ部材３５を収容する封止内に開口部を介して漏水があったとしても、これはシート材の裏（つまり反対）側までであり、また、もしあったとしても、建造物に対向するシート材の封止を破壊するというより、むしろ補助するものである。
【００４７】
第２の封止はスリット２７を必ずしも必要とするとは限らない。第２の封止もその座部に永久接着されてもよい。この構成によれば、第１のまたは内側の封止は、もし枠部および金具が建造物とゆるく嵌合していれば、のり付け、接着剤または他の設置手段を用いることなく、密封部材に少なくとも部分的に巻きつけた防水性シート材の端部と共に、その座部の位置に収めるように容易く処理可能である。
【００４８】
防水性可撓性・シート材２６には、典型的な洪水においてシート材にかかるであろうと予想される圧力と自然磨耗との両面に対する要件を満たすに十分な防水性と十分な強度が必要である。典型的な洪水とは、現在の目安としては、家屋への浸水被害範囲の９０％が、２階レベル（ｆｉｒｓｔ  ｆｌｏｏｒ  ｌｅｖｅｌ）以下となる洪水である。言い換えれば、２階レベル（ｆｉｒｓｔ  ｆｌｏｏｒ  ｌｅｖｅｌ）より下にあるすべての開口部（窓、ドアおよび通気孔）に、排水システムの適切な洪水防御用背圧弁と結合する本発明による洪水防御システムを備えれば、典型的な洪水によって被るほとんどすべての被害を防ぐだろう。
【００４９】
シート材２６は、防御する建造物の領域の最下位点から最上位点までの高さの差と同じくらいの大きさの落差の水圧、より好ましくは、少なくとも３メートルの水の水頭による静水圧に、少なくとも耐久性を有するべきである。
【００５０】
こうした要件を満たすシート材は市販されていて簡単に入手できる。たとえば、厚さ０．７５ｍｍの防水性オーバーレイ保護シート材は、洪水防御を必要とする建造物の各領域に合わせて様々なサイズで簡単に入手が可能である。このような材料は、低密度ポリエチレンシート材と補強スクリムから成る。そのような材料の中に、ハートフォードシャ  セント・アルバン  ライアン・ウェイ（郵便番号ＡＬ４，０ＬＢ）のＭｏｎａｒｆｌｅｘから入手できる商標「Ｇｒｉｄｌｉｎｅ７５０」として販売されるものがある。これらの材料が提供できるシート材は、幅が１．２メートルから２．０メートルの間で、２００ミリ刻みに４．０メートルまで広がる。
【００５１】
場合によっては、防水性可撓性シート材を枠部に固着して取り付けてもよい。この構成は、洪水が予想されない場合には、住民が保管用の可撓性シート材を簡単に巻き上げ可能で、完全に取り外し可能な構成という利点をもたないが、それでも硬質の洪水防壁を利用する構成よりはるかに軽量である。また、保護すべき領域の周辺が、封止を構成する適宜なサイズに形成された枠部と圧縮可能手段と共に、上述したような適切な永久金具を有している限り、シート材は、湾曲した窓や張り出し窓等のようなより複雑な構造の保護に応用可能である。
【００５２】
特に注目すべきは、洪水の水の進入に弱い原因となり得るので、枠部の角継手である。
【００５３】
図１０および図１１は、図１２（枠部セクションのひとつの上部補強プレート１６は説明を明瞭にするため省略してある）に示すような枠部の２つの長さの斜接継手の密封に最適な角密閉ガスケット３８の実施形態を示す。
【００５４】
ガスケット３８は、ゴム、ネオプレンまたはその混合物で適宜に成型され、枠部のそれぞれの斜接合セクション３９，４０の下面上に嵌合するようにされている。この目的のために、ガスケット３８はそれぞれの枠部セクション３９，４０の中央平坦部２１の下に嵌合するような寸法の平坦中央セクション４１を有する。ガスケット３８は、また、２つの枠部・セクション３９，４０のそれぞれの座部１８，１９内に嵌合するような寸法の長く丸みを帯びたセクション４２，４３を有する。向き合う斜接合端部の位置に、ガスケット３８はフランジ４４を備える。フランジ４４には、枠部セクション３９，４０の突き合せ斜接合した端部を密封する働きがある。ガスケットは圧縮可能な材料で作製されるため、枠部・セクションが図９に示すように突合され、次いで、それぞれの固定部材９の長端部１１上に配置した位置設定孔２２を使って所定位置にねじ留めされるとき、ガスケットフランジ４４が公差や心あわせ不良等すべてを吸収する。
【００５５】
これまでに詳しく述べたように、最初の実用的な構成は、内側封止に部分的にシート材の端部を巻きつけるようにしたが、その後、設備を圧力下に置いて実際の洪水において生じるであろう水の静水頭および運動量をシミュレーションできる実験施設において実施した長期試験から、これは必要なく、シート材の第１の面を建造物の表面に押し付け、枠部をシート材の反対側または裏側と対向させた状態で、シート材を単に窓やドアの開口部を覆うように平らに配置するだけで、実効的な漏水がないという好結果を得られることがわかった。
【００５６】
この構成によれば、枠部は角で接合され単体の枠部をつくる４つの押し出し成形されたセクションからなり、枠部の下面上の溝部内に固着されて取り付けられた密封手段を備える。もし密封手段がそれぞれ連続する（無端）ループとして形成されると、密封手段は多少伸びて枠部の全４辺を囲む溝部を埋められ、軟質な材料からなるものならば各角を巻ける。図１０および図１２を参照して上述した追加の角密封構造は、したがって、不要にできるので、これは利点である。
【００５７】
この構成おいて、好適には、平行な内側および外側の封止があり、シート材を挟んで枠部を建造物の表面に固定する固定手段の位置が２つの封止の間にある。内側封止だけがシート材の反対側または裏側に押し付けられない限り、これはシート材に金具の位置に開口部をあける必要があるということを意味する。これらの開口部は、シート材の脆弱化を防ぐために補強金属またはプラスチックのリベットを有することが好ましい。たとえこれらの開口部を介して漏水があったとしても、この漏水は（防御すべき窓やドアの開口部の中央に対して）１次封止の半径方向に外側になるので、窓やドアの開口部内に漏水を起こすことはないということが判断できるはずである。第２または外側の封止を用いることは、（防御すべき窓やドアの開口部の中央に関して）金具およびシート材の開口部の位置から半径方向に外側にくるとは言え、シート材に対向する枠部の取り付けを補助し、１次封止の半径方向の外側に少なくともいくらか補助密封をもたらす。
【００５８】
この構成を図１３に示す。この実施形態の枠部１４は、アルミニウムまたはその合金で押し出し成形される。この目的のためのアルミニウムの利点は、枠部の押し出し成形が容易であること、同時に軽量および強度を合わせ持つことである。したがって、枠部１４の４辺のそれぞれは、押し出し成形により単体として簡単に成形できる。あるいは、枠部全体を単一の押し出し成形したセクションで構成し、そして、その押し出し成形品が角を３つつくるように折り曲げられるようにパーツを切り取り、押し出し成形品の両端と折り曲げた３つの角での切断縁を溶接し、一体型４辺枠部を形成する。
【００５９】
枠部・セクション押し出し成形品のために図１３に示す特殊な横断面形状を使用することは、図６から図１２の構成の簡素なプレス金属枠部セクションより好適となり得ることがわかった。固定手段が図１３の形状を用いて構成に締められるとき、シート材に密封手段を押し付ける圧力、したがって、対峙する壁表面にシート材を押し付ける圧力は、図６から図１２の構成の枠部セクションを用いる場合よりも、速く予測可能に増す。図６から図１２のスチール枠部セクションより軽量ではあるが、図１３のアルミニウム枠部セクションはより堅固である。
【００６０】
これまで詳細に説明したすべての構成は、枠部の下面に２つの溝部と２つの平行な封止を有し、場合によっては、単一の封止で事足りることもある。同じ枠部が利用されるが、内側または第１の封止だけが存在してもよく、または、単一の封止用の単一の座部だけを有する枠部を設けてもよい。後者の場合、金具用の枠部の開口部の位置は、金具が封止を突き通すことがないように、単一の溝部と並列すべきである。
【００６１】
窓を防御する本発明による洪水防御システムの実施形態を用いるいかなる場合においても、たとえ、或る程度、水頭の圧力が防水性保護シート材を介して窓の領域全面に分布した場合でも、水頭の圧力を支える窓自体の能力を考慮すべきである。このシート材は適宜に補強されるが、たとえそうしても、古い窓（近頃の密閉二重艶出しユニットは実質上高い強度を有する）、特に窓枠が小さいものか鉛で枠付けされているものの場合、補助手段（たとえば、合板のような適切な材料でできた板状部材またはシート材）が窓全体にかかる圧力を分散させる際、および／または、追加の補強防御を設ける際に役立つ。
【図面の簡単な説明】
【００６２】
【図１】洪水から防御する建造物の領域を説明する概略図である。
【図２】建造物の面に挿入するための金具の拡大側面図である。
【図３】図２の金具を図２の左側から見た端面図である。
【図４】図２および図３の金具と協働するようにされた雄固定部材の側面図である。
【図５】図４の雄固定部材を図４の左側から見た端面図である。
【図６】枠部のセクションの斜視図である。
【図７】図６の枠部を使った本発明による洪水防御システムの一実施形態の断面図である。
【図８】図７と同様に２つの代替可能な実施形態である。
【図９】図７と同様に２つの代替可能な実施形態である。
【図１０】枠部の密封セクション用の角ガスケットの上平面図である。
【図１１】図１０のガスケットを図１０の右側から見た立面図である。
【図１２】２つの斜接合された枠部セクションと図１０および図１１のガスケットとの協働を示す枠部の部分の平面図である。
【図１３】本発明による洪水防御システムの他の実施形態の拡大断面図である。
【図１】
2005526200.tif 000003
【図２】
2005526200.tif 000004
【図３】
2005526200.tif 000005
【図４】
2005526200.tif 000006
【図５】
2005526200.tif 000007
【図６】
2005526200.tif 000008
【図７】
2005526200.tif 000009
【図８】
2005526200.tif 000010
【図９】
2005526200.tif 000011
【図１０】
2005526200.tif 000012
【図１１】
2005526200.tif 000013
【図１２】
2005526200.tif 000014
【図１３】
2005526200.tif 000015
【国際調査報告】
2005526200.tif 000016
2005526200.tif 000017